(57)【要約】  液状食品物質を処理するためのマシン（１）は、容器（２１）を有し、食品空洞（２１’）を画定するジャグ（２０）と、容器（２１）を取り出し可能に受け入れるための座部（１１’）を形成する１つ以上の壁（１１）を有する基部（１０）と、を含む。基部（１０）及びジャグ（２０）は、それぞれ、偏心した突出部材（３３）、及び突出部材（３３）のための対応する、偏心した座部（１３）、又はこの逆、を備える又は画定する。偏心した座部（１３）は、容器（２１）が液状食品物質を処理するための定位置にあるように容器（２１）が基部座部（１１’）によって受け入れられたときに突出部材（３３）を受け入れるように構成されている。突出部材（３３）が偏心した座部（１３）に対してずれているとき、偏心した突出部材（３３）は、容器（２１）を、空洞（２１’）内の液状食品物質を処理するためのその位置から離して維持するように構成されている。【選択図】図２
2021517016.tif 000002
【特許請求の範囲】
【請求項１】
ミルク又はミルクベース物質などの液状食品物質を処理するためのマシン（１）であって、
前記液状食品物質を収容するための食品空洞（２１’）を画定する容器（２１）、例えば、前記空洞（２１’）を覆うための取り外し可能な蓋（２２）を有する容器（２１）を有するジャグ（２０）と、
前記容器（２１）を取り出し可能に受け入れるための座部（１１’）を形成する１つ以上の壁（１１）を有する基部（１０）と、
を備える、マシン（１）において、
前記基部（１０）及び前記ジャグ（２０）は、それぞれ、偏心した、例えば周辺部にある突出部材（３３）、例えばピン又はブレード、及び前記突出部材（３３）のための対応する、偏心した、例えば周辺部にある座部（１３）、又はこの逆、を備え又は画定し、前記偏心した座部（１３）は、前記容器（２１）が前記食品空洞（２１’）内の前記液状食品物質を処理するための位置にあるように前記容器（２１）が前記基部座部（１１’）によって受け入れられたときに前記突出部材（３３）を受け入れるように構成されており、前記突出部材（３３）が前記偏心した座部（１３）に対してずれている、例えば角度的にずれているときに、前記偏心した突出部材（３３）は、前記容器（２１）を、前記空洞（２１’）内の前記液状食品物質を処理するための前記容器（２１）の位置から離して維持するように構成されており、任意選択的に、前記ジャグ（２０）は前記偏心した突出部材（３３）を備え、前記基部（１０）は前記偏心した座部（１３）を画定する、又はこの逆であり、例えば、前記基部（１０）の外面（１０ａ）は前記偏心した座部（１３）を画定する、
ことを特徴とする、マシン（１）。
【請求項２】
前記偏心した突出部材（３３）が前記偏心した座部（１３）内に受け入れられているときに、前記偏心した座部（１３）及び前記偏心した突出部材（３３）は、
前記偏心した座部（１３）と前記偏心した突出部材（３３）とが連続的な外部表面を一緒に形成するような相補形状、
前記基部（１０）に対する前記容器（２１）の回転を防止するための構成、及び
前記容器（２１）の下向き縁部（３４）が前記基部（１０）の上向き縁部（１４）上に載るような構成、又は前記容器縁部（３４）が前記基部縁部（１４）から０．５ｍｍ以下離れ、前記基部縁部（１４）が、例えば前記容器（２１）を受け入れるための前記基部座部（１１）のへりを形成するような構成、
のうちの少なくとも１つを有する、請求項１に記載のマシン。
【請求項３】
前記偏心した突出部材（３３）が前記偏心した座部（１３）に対してずれているときに、前記容器（２１）の下向き縁部（３４）又は前記下向き縁部（３４）は、前記偏心した突出部材（３３）が前記偏心した座部（１３）内に受け入れられているときよりも大きな距離だけ、例えば、前記偏心した突出部材（３３）が前記偏心した座部（１３）内に受け入れられているときに前記基部（１０）の前記偏心した座部（１３）内に収容されている前記偏心した突出部材（３３）の部分の高さ、例えば、０．３〜５ｃｍ、例えば０．５〜２．５ｃｍの範囲内の高さに相当する距離よりも大きな距離だけ、前記容器（２１）を受け入れるための前記基部座部（１１）のへりを形成する基部縁部（１４）などの前記基部（１０）の上向き縁部（１４）又は前記上向き縁部（１４）から離隔している、請求項１又は２に記載のマシン。
【請求項４】
処理デバイスと前記液状食品物質を処理するために前記処理デバイスを制御するように構成された制御システムとを備え、前記制御システムは、例えば、制御ユニットによって制御されるアクチュエータ及び／又は熱調整器であり、前記制御システムは、前記処理デバイスの特性、例えば電流消費及び／又は電圧消費及び／又は電気周波数を測定し、測定した前記特性を、前記容器（２１）が前記容器（２１）の処理位置にあるとき又は前記容器（２１）の処理位置から離れているときの前記特性の予測値と比較することによって、前記容器（２１）が前記容器（２１）の処理位置から離れているとき、例えば、前記偏心した部材（３３）が前記偏心した座部（１３）に対してずれているときを検知するように構成されており、任意選択的に、前記処理デバイス及び／又は前記制御システムは前記基部（１０）内に収容されている、請求項１〜３のいずれか一項に記載のマシン。
【請求項５】
前記ジャグ（２０）は、前記ジャグを成人の手（４０）で保持するためのハンドル（３１、３２、３３）を有し、前記ハンドル（３１、３２、３３）は、前記容器（２１）から突出した接続部材（３１）と、前記容器（２１）から離れたところで前記接続部材（３１）に接続された実質的に細長い直立グリップ部材（３２）と、を有し、前記グリップ部材（３２）は、前記接続部材（３１）より上にある上部分（３２ａ）と、前記接続部材（３１）より下にある下部分（３２ｂ）と、を有し、前記上部分（３２ａ）は、前記ハンドル（３１、３２、３３）が前記手（４０）で保持されているときに、前記手（４０）の親指（４１）を支持し、前記手（４０）の人差し指（４２）を収容するための上座部（３１ａ）を前記接続部材（３１）とともに画定するように構成されており、任意選択的に、
前記接続部材（３１）は、前記ジャグ（２０）が前記液状食品物質を処理するように方向付けられているときに、水平である、又は水平に対して３０度未満の角度、例えば水平に対して１５度未満の角度である、及び／又は
前記直立グリップ部材は、垂直に、又は垂直に対して３０度未満の角度、例えば垂直に対して１５度未満の角度で延びる、及び／又は
前記容器（２１）の前記空洞（２１’）は、前記接続部材（３１）より上に、１〜７ｃｍ、例えば２〜５ｃｍ、例えば３〜４ｃｍの範囲内の高さだけ延びる、
請求項１〜４のいずれか一項に記載のマシン。
【請求項６】
前記ハンドル（３１、３２、３３）は制限部材（３３）を有し、
前記制限部材（３３）は、
前記容器（２１）と前記グリップ部材（３２）の前記下部分（３２ｂ）との間に実質的に直立して延びており、
前記接続部材（３１）又は前記接続部材（３１）の近くから下向きに延びており、
前記制限部材（３３）と前記下部分（３２ｂ）と前記接続部材（３１）とは、前記ハンドル（３１、３２、３３）が前記手（４０）で保持されているときに前記手（４０）の中指（４３）の一部を収容するための下座部（３１ｂ）を画定し、
任意選択的に、前記偏心した突出部材（３３）は前記制限部材（３３）によって形成されている、又はこの逆である、請求項５に記載のマシン。
【請求項７】
前記グリップ部材（３２）の前記上部（３２ａ）は、以下の特徴、すなわち、
前記上部（３２ａ）は、前記容器（２１）から１．５〜４ｃｍ、例えば２〜３ｃｍの範囲内の距離だけ離隔している、
前記上部（３２ａ）は、前記接続部材（３１）より上に、１〜３ｃｍ、例えば１．５〜２．５ｃｍの範囲内の距離だけ延びる、
前記グリップ部材（３２）の前記上部（３２ａ）は、０．５〜３ｃｍ、例えば１〜２ｃｍの範囲内の幅を有する、及び
前記上部（３２ａ）は、最上自由端を有する、
のうちの少なくとも１つを有する、請求項５又は６に記載のマシン。
【請求項８】
前記グリップ部材（３２）の前記下部（３２ｂ）は、以下の特徴、すなわち、
前記下部（３２ｂ）は、前記容器（２１）から１．５〜４ｃｍ、例えば２〜３ｃｍの範囲内の距離だけ離隔している、
前記下部（３２ｂ）は、前記接続部材（３１）より下に、１〜５ｃｍ、例えば２．５〜４．５ｃｍの範囲内の距離だけ延びる、
前記グリップ部材（３２）の前記下部（３２ｂ）は、０．５〜３ｃｍ、例えば１〜２ｃｍの範囲内の幅を有する、及び
前記下部（３２ｂ）は、最下自由端を有する、
のうちの少なくとも１つを有する、請求項５〜７のいずれか一項に記載のマシン。
【請求項９】
前記制限部材（３３）は、以下の特徴、すなわち、
前記制限部材（３３）は、前記グリップ部（３２）の前記下部（３２ｂ）まで、１．５〜３ｃｍ、例えば２〜２．５ｃｍの範囲内の距離だけ離隔している、
前記制限部材（３３）は、前記接続部材（３１）まで、０．５〜５ｃｍ、例えば１〜３ｃｍ、例えば１．５〜２．５ｃｍの範囲内の距離だけ離隔した最下端を有する、
前記制限部材（３３）は、０．５〜３ｃｍ、例えば１〜２ｃｍの範囲内の幅を有する、及び
前記制限部材（３３）は、最下自由端を有する、
のうちの少なくとも１つを有する、請求項５〜８のいずれか一項に記載のマシン。
【請求項１０】
前記容器（２０）は、前記容器空洞（２１’）の開口部を画定するへり（２２’）を有し、前記取り外し可能な蓋（２２）は、前記へり（２２’）の上に延びており、かつ、ａ）周囲壁（２２ａ）及びｂ）直立内壁（２２ｃ）のうちの少なくとも１つを有し、
前記周囲壁（２２ａ）は、前記容器（２１）の外蓋面を形成するように下向きに延びており、例えば、前記外蓋面は、
０．５〜５ｃｍの範囲内、例えば１．５〜３．５ｃｍの範囲内の高さを有し、並びに／又は、
前記蓋（２２）によって覆われていない前記容器（２１）の外面（２０ａ）及び／若しくは前記基部（１０）の外面（１０ａ）と面一に延びており、
前記直立内壁（２２ｃ）は、前記へり（２２’）に沿って前記空洞（２１’）内に下向きに延びており、
任意選択的に、前記周囲壁（２２ａ）及び／又は前記直立内壁（２２ｃ）は、前記空洞（２１’）を封止するための、環状の変形可能な封止部材などの封止部材（２２ｄ）を有し、例えば、前記封止部材（２２ｄ）は、以下の特徴、すなわち、
前記封止部材（２２ｄ）は、並べて配置された環状リップなどの１つ以上の実質的に平行な封止リップ（２２ｅ）を有する、
前記封止部材（２２ｄ）は、前記封止部材（２２ｅ）を掴むためのタブ（２２ｆ）を有する、及び
前記封止部材（２２ｄ）は、例えば洗浄のために前記蓋（２２）から取り外し可能であり、前記蓋に取り付け可能である、
のうちの少なくとも１つを有する、
請求項１〜９のいずれか一項に記載のマシン。
【請求項１１】
前記取り外し可能な蓋（２２）は、前記接続部材（３１）に接触する又は近接する底端部（２２ｂ）を有する周囲壁（２２ａ）又は前記周囲壁（２２ａ）を有し、前記底端部（２２ｂ）は、任意選択的に、前記接続部材（３１）から１ｃｍ未満、例えば０．５ｃｍ未満離隔している、請求項１〜１０のいずれか一項に記載のマシン。
【請求項１２】
前記容器（２１）は、少なくとも１つの外側容器壁（２１ａ）を有し、前記少なくとも１つの外側容器壁（２１ａ）は、前記空洞（２１’）内の前記液状食品物質によって及び／又は前記空洞（２１’）内の前記液状食品物質を処理することによって熱的に調整されることができ、前記容器（２１）が前記基部座部（１１’）内又は前記基部座部（１１’）上にあるときに前記基部壁（１１）に面しており、前記基部（１０）及び／又は前記容器（２１）は、リブ若しくは突起若しくは断熱層などの１つ以上の断熱スペーサ（１１ａ）を備え、前記断熱スペーサは、前記基部壁（１１）と前記容器（２１）との間の熱移動を防止又は抑制するように、前記容器（２１）が前記座部（１１’）内に又は前記座部（１１’）上に受け入れられているときに前記基部壁（１１）を前記容器壁（２１ａ）から離隔し、任意選択的に、前記容器（２１）は、電気抵抗要素又は熱電対要素などの、熱放射又は吸収要素を備え、例えば、前記熱放射又は吸収要素は、前記基部（１０）により電気伝導及び／又は電磁誘導で給電される、請求項１〜１１のいずれか一項に記載のマシン。
【請求項１３】
前記容器（２１）は、前記座部（１１’）内又は前記座部（１１’）上に受け入れられた前記容器（２１）内で前記液状食品物質が処理されるときに、前記熱放射又は吸収要素として１つ以上の優先的な容器壁（２１ａ）を主に介して前記容器（２１）の外に熱を放射するように又は前記容器（２１）の外から熱を吸収するように構成されており、前記断熱スペーサ（１１ａ）は、前記優先的な壁（２１ａ）を前記基部壁（１１）から離隔するように配置されており、任意選択的に、前記優先的な容器壁（２１ａ）は、前記容器（２１）の底壁（２３）、又は前記容器（２１）の側壁、又はこの両方を形成する、請求項１２に記載のマシン。
【請求項１４】
前記断熱スペーサ（１１ａ）又は各断熱スペーサ（１１ａ）は、対応する前記基部壁（１１）を前記容器壁（２１ａ）から０．１〜１ｃｍ、例えば０．３〜０．８、例えば０．４〜０．７ｃｍの範囲内の距離だけ離隔するように構成されている、請求項１２又は１３に記載のマシン。
【請求項１５】
前記食品空洞（２１’）は、前記液状食品物質を前記液状食品物質の処理中に撹拌するための、泡立て器及び／又はスターラなどの可動撹拌デバイスを収容し、任意選択的に、前記撹拌要素は、
アクチュエータ又は前記アクチュエータによって駆動され、前記アクチュエータは、前記基部（１０）内に収容されており、かつ前記容器（２１）の底壁（２３）などの容器壁を介して前記撹拌デバイスに例えば磁気的に結合されており、及び／又は
前記アクチュエータによって駆動されると、前記食品空洞（２１’）内で前記液状食品としてのミルク又はミルクベース液体を泡立てるように構成されている、請求項１〜１４のいずれか一項に記載のマシン。
【発明の詳細な説明】
【技術分野】
【０００１】
本発明の分野は、取り外し可能な食品処理ジャグを有する、ミルク又はミルク含有物質などの食品物質を処理するためのマシンに関する。例えば、マシンは、インペラ及び／又は熱管理構成を備える。
【背景技術】
【０００２】
少なくとも一部が泡立てられた又は加熱されたミルクで作られる特製飲料がますます普及している。最もよく知られたこのタイプの飲料は、カプチーノタイプのコーヒーである。それは、密度が非常に低いために液体の表面の上に浮く、泡立てられたミルクの層に覆われたコーヒーからなる液体部分を含む。一般的に、この一杯を調製するには、時間、巧みな操作、及び洗浄が必要となる。
【０００３】
ミルクベースの泡は、機械的撹拌装置内で調製することができる。固体の食品残留分を除去するために、器具のタンクの定期的な洗浄を想定しておく必要がある。更に、ミルクを加熱すると、調理された又は焦げたタンパク質が表面に堆積して付着する程度が増える傾向がある。
【０００４】
米国特許第６，３１８，２４７号は、撹拌によって、例えばホットチョコレートなどの温かい飲料又は食品を調製するための器具に関する。食料製品を攪拌するための他のデバイスは、特許文献国際公開第２００４／０４３２１３号又は独国特許出願公開第１９６２４６４８号に記載されている。磁気係合タイプを有する撹拌システムは、米国特許第２，９３２，４９３号、独国特許第１１３１３７２号、米国特許第４，５３７，３３２号及び同第６，７１２，４９７号の文献に記載されている。独国特許第８９１５０９４号は、ミルクベースの飲料を注出するための冷蔵ポットに関する。米国特許第３，３５６，３４９号は、加熱されたタンクと、タンクの中央に配置されたハブを駆動するためにタンクの下に位置決めされた磁気駆動手段とを有する撹拌デバイスを開示している。
【０００５】
撹拌システム、特に、磁気駆動式撹拌システムを使用する飲料処理装置の更なる例は、国際公開第２０１６／２０２８１４号、同第２０１６／２０２８１５号、同第２０１６／２０２８１６号、同第２０１６／２０２８１７号、国際出願ＰＣＴ／ＥＰ１７／０８２２０８号、及び同ＰＣＴ／ＥＰ１７／０８２２１１号に開示されている。
【０００６】
ミルクベースの液体又はミルクから泡を調製するための改良された器具が、国際公開第２００６／０５０９００号、同第２００８／１４２１５４号、同第２０１１／０３９２２２号、同第２０１１／０３９２２４号、及び同第２０１７／２１６１３３号に提案されている。このデバイスは、回転可能な撹拌器が位置決めされている、泡立てられる液体を受け入れるための内部タンクと、タンクを保持する外部スタンドと、内部タンクと外部スタンドとの間に配置された空洞内にあり、スタンドの外面に配置されたスイッチ及び電気接続部と通信する駆動及び制御手段と、泡立て中のミルクの循環を最適化するための撹乱手段と、を有する。国際公開第２０１０／０２３３１３号では、蒸気源が撹拌効果と関連付けられている。
【０００７】
例えば欧州特許出願公開第２０１７２０３１９９号に開示されているような誘導システムを使用することにより処理タンク内に熱を供給することができる。
【０００８】
より最近では、国際公開第２００９／０７４５５５号及び同第２０１１／１４４６４７号に記載のように、このタイプのミルク調節タンクを備えたコーヒーマシンを提供することが提案されている。
【０００９】
ミルク泡立て器具の電気部品の動作によって発生する不必要な熱の排出に好都合であるアーキテクチャが、国際公開第２０１６／２０２８１８号に開示されている。国際出願ＰＣＴ／ＥＰ１７／０８２２１２号及び欧州特許出願公開第２０１７２０３２０５号に開示されているように、このような器具にはまた、１つ以上のファンクーラーを取り付けることができる。
【００１０】
例えば、器具が使用者により誤って操作される場合にこのような器具の制御を向上させる必要性が依然としてある。
【発明の概要】
【００１１】
本発明の好ましい目的は、フールプルーフ構成を有する、食品物質を調整するためのマシンを提供することである。
【００１２】
本発明の別の好ましい目的は、能動的な基部上に食品処理容器の安定したアセンブリを有するマシンを提供することである。
【００１３】
したがって、本発明は、ミルク又はミルクベース物質などの液状食品物質を処理するためのマシンに関する。液状食品物質は、水性であってもよく、例えば、コーヒー及び／又はチョコレート及び／又はカカオを含有する。
【００１４】
マシンはスタンドアローンマシンであってもよく、例えば電気コードを介して主電源に直接接続することができ、又は他の食品を処理するように若しくは異なる食品調整方法を実行するように構成された食品プロセッサに一体化されてもよく、食品プロセッサ自体は一般に電気コードを介して主電源に接続することができるのに対して、マシンは食品プロセッサのサブパートである。そのような食品プロセッサは、コーヒーメーカーなどの飲料メーカー、例えば、原材料カプセルから飲料（コーヒーなど）を調製するように構成された飲料メーカーなどの飲料メーカー、であってもよい。
【００１５】
本発明のマシンは、有利には、ミルクを泡立て及び／又は加熱及び／又は冷却するように構成されていてもよく、任意選択的に、スタンドアローンマシンとして、又は一体型マシンとしてコーヒーメーカーに関連付けられていてもよい。スタンドアローンマシン、及びミルク泡立てマシンとコーヒーメーカーとの一体化の関連付けについては、例えば、国際公開第２００６／０５０９００号、同第２００８／１４２１５４号、同第２００９／０７４５５５号、同第２０１０／０２３３１２号、及び同第２０１０／０２３３１３号に開示されている。
【００１６】
したがって、マシンは、微細に分割された気泡、例えば、空気の気泡をミルクに組み込むことによって作動するミルク泡立て器であってもよい。マシンがミルクに気泡を導入するように構成されている場合、マシンは、気泡の導入のない動作モードを含んでもよい。
【００１７】
本発明のマシンは、ミルク又はミルクベース物質などの液状食品物質を処理するように構成されている。
【００１８】
マシンは、液状食品物質を収容するための食品空洞を画定する容器を有するジャグを含む。容器は、例えば国際公開第２００８／１４２１５４号に教示されるような、空洞を覆うための取り外し可能な蓋を有することができる。
【００１９】
容器は、実質的にカップ形状又はボウル形状又は円筒形状とすることができ、側壁は実質的に直立しており、底壁は実質的に平坦である又は湾曲している。
【００２０】
ジャグは、機械的に受動的であってもよい。したがって、食品物質を収容し、マシンに組み込まれる又は組み付けられるジャグの構造をなす材料の固有の機械的特性以外に、ジャグは、衛生又は洗浄のために特別な配慮を必要とし得るモータ又は運動変換系（movement transformation system）などのあらゆる機械的に能動的な部品を有しなくてもよい。ジャグは、ジャグの外部から駆動される、泡立て器（whisk）若しくはスターラ若しくは原材料バスケットなどの１つ以上の機械的に受動的な可動部品を容器内に収容してもよい。
【００２１】
ジャグは、電気的に受動的であってもよい。したがって、食品物質を収容し、マシンに組み込み可能な又は組み付けられるジャグの構造をなす材料の固有の電気的特性（例えば、抵抗特性及び／又は誘導特性及び／又は容量特性）以外に、ジャグは、あらゆる電気構成要素、特に、能動的な電気構成要素を有しなくてもよい。しかしながら、ジャグの固有の電気的特性は、食品物質の処理において、例えば、ジャグの外部の（能動的な）ソースから電気的に又は電磁的に給電されるジャグを加熱及び／又は冷却するために使用されてもよい。
【００２２】
機械的に及び／又は電気的に受動的なジャグ（任意選択的に、同様に受動的な蓋を有する）を設けることにより、電気構成要素及び／又は機械的構成要素を破損するいかなるリスクも伴わず、ジャグを、例えば洗い水（dishwater）内で容易に洗浄することができる。
【００２３】
ジャグに、例えば、アクチュエータ及び信号処理ユニットなどの機械的制御能動構成部品並びに／又は電気的制御能動構成部品を収容する制御空洞が設けられている場合、同じ結果が得られる。この空洞は、特に、洗浄のために使用される洗剤又は石鹸に曝された場合に早期摩耗に曝されるゴム、シリコーン、又は同様のシールによって封止された可動アクセスパネルを有しない。したがって、ジャグが、アクセス不能な閉じ込め空洞内に収容された能動構成要素を収容する場合、同じ結果が得られ得る。このジャグは、例えば、このような閉じ込め空洞の周囲が完全に成形及び／又は溶接されているため、空洞はジャグの構造内に完全に沈み、ジャグの外部環境から分離されており、ジャグを破壊することなしには外部からアクセスできない。このような状況では、ジャグは、このような閉じ込められたアクセス不能な空洞内に能動デバイス、例えばＲＦＩＤ型のデバイス等を収容してもよい。
【００２４】
マシンは基部を含み、基部は、容器を取り出し可能に受け入れるための座部を形成する１つ以上の壁を有する。
【００２５】
基部は、給電される空洞、例えば、容器に隣接する電気コードを介して電源により給電される空洞を有してもよい。基部空洞は、食品空洞内に熱を発生させる（空洞を加熱する）ための及び／又は食品空洞から熱を除去する（空洞を冷却する）ための熱調整器を含んでもよい。基部空洞は、容器内の液状食品物質を駆動するためのアクチュエータ、例えばモータを含んでもよい。
【００２６】
アクチュエータ、例えばモータ、制御ユニット、ユーザインタフェース、ＡＣ／ＤＣコンバータは全て、基部内、例えば、給電される空洞内に含めることができる。
【００２７】
基部及びジャグは、それぞれ、偏心した、例えば周辺部にある突出部材、典型的にはピン又はブレード、及び突出部材のための対応する、偏心した、例えば周辺部にある座部、又はこの逆、を備える又は画定する。偏心した座部は、容器が食品空洞内の液状食品物質を処理するための位置にあるように容器が基部座部によって受け入れられたときに突出部材を受け入れるように構成されている。突出部材が偏心した座部に対してずれている、例えば角度的にずれているときに、偏心した突出部材は、容器を、空洞内の液状食品物質を処理するためのその位置から離して維持するように構成されている。
【００２８】
本文脈では、「偏心」とは、ジャグの容器によって画定される食品空洞の中心直立又は垂直軸線から外れている（又は離れている）ことを意味する。
【００２９】
ジャグは偏心した突出部材を含んでもよく、基部は偏心した座部を画定する。又はこの逆であってもよい。例えば、基部の外面は偏心した座部を画定する。
【００３０】
したがって、基部上又は基部内においてジャグの適切な位置を確保するために、協働する偏心した部材と座部とを単純な手法で使用して、不適切な位置と適切な位置とを機械的に区別することができる。
【００３１】
協働する偏心した部材と座部は、液状食品物質の処理中のジャグと座部の相対運動を防止するために使用してもよい。
【００３２】
協働する偏心した部材と座部はまた、液状食品物質の処理が不可能又は最適未満となるようなジャグ及び座部の誤配置を自動的に検知するために使用することができる。
【００３３】
例えば、このような誤配置は、協働する座部内の偏心した部材の存在（又は非存在）を感知するためのセンサを使用することにより自動的に検知されてもよい。しかしながら、例えば以下の実施形態で開示されるように、特定の条件下では、誤配置を自動的に検知するためのこのようなセンサは必要ない。
【００３４】
偏心した突出部材が偏心した座部内に受け入れられているときに、偏心した座部及び偏心した突出部材は、
偏心した座部と偏心した突出部材とが連続的な外部表面を一緒に形成するような相補形状、
基部に対する容器の回転を防止するための構成、及び
容器の下向き縁部が基部の上向き縁部上に載るような構成、又は容器縁部が基部縁部から０．５ｍｍ以下離れ、基部縁部が、例えば容器を受け入れるための基部座部のへりを形成するような構成、
のうちの少なくとも１つを有することができる。
【００３５】
偏心した突出部材が偏心した座部に対してずれているときに、容器の下向き縁部又は上記下向き縁部は、偏心した突出部材が偏心した座部内に受け入れられているときよりも大きな距離だけ、例えば、偏心した突出部材が偏心した座部内に受け入れられているときに基部の偏心した座部内に収容されている偏心した突出部材の部分の高さ、例えば、０．３〜５ｃｍ、例えば０．５〜２．５ｃｍの範囲内の高さに相当する距離よりも大きな距離だけ、容器を受け入れるための基部座部のへりを形成する基部縁部などの基部の上向き縁部又は上記上向き縁部から離隔してもよい。
【００３６】
マシンは、処理デバイスと液状食品物質を処理するために処理デバイスを制御するように構成された制御システムとを含んでもよく、制御システムは、例えば、制御ユニットによって制御されるアクチュエータ及び／又は熱調整器である。制御システムは、処理デバイスの特性、例えば電流消費及び／又は電圧消費及び／又は電気周波数を測定し、測定したこのような特性を、容器がその処理位置にあるとき又はその処理位置から離れているときの特性の予測値と比較することによって、容器がその処理位置から離れているとき、例えば、偏心した部材が偏心した座部に対してずれているときを検知するように構成されてもよい。制御システムは、容器がその処理位置から離れていることを制御システムが検知すると、液状食品物質の処理を阻止するように及び／又はエラーメッセージ若しくはアラームを生成するように構成されてもよい。
【００３７】
例えば、処理デバイス及び／又は制御システムは基部内に収容されている。
【００３８】
ジャグは、ジャグを成人の手で保持するためのハンドルを有することができる。ハンドルは、容器から突出した接続部材と、容器から離れたところで接続部材に接続された実質的に細長い直立グリップ部材と、を有してもよい。グリップ部材は、接続部材より上にある上部分と、接続部材より下にある下部分と、を有することができる。上部分は、ハンドルが手で保持されているときに、手の親指を支持し、手の人差し指を収容するための上座部を接続部材とともに画定するように構成されてもよい。
【００３９】
接続部材は、ジャグが液状食品物質を処理するように方向付けられているときに、水平であってもよい、又は水平に対して３０度未満の角度、例えば水平に対して１５度未満の角度であってもよい。
【００４０】
直立グリップ部材は、垂直に、又は垂直に対して３０度未満の角度、例えば垂直に対して１５度未満の角度で延びることができる。
【００４１】
容器の空洞は、接続部材より上に、１〜７ｃｍ、例えば２〜５ｃｍ、例えば３〜４ｃｍの範囲内の高さだけ延びてもよい。
【００４２】
ハンドルは制限部材を有することができ、制限部材は、容器とグリップ部材の下部分との間に実質的に直立して延びており、接続部材又は接続部材の近くから下向きに延びている。例えば、制限部材は、（仮に離隔する場合には）接続部材から５ｍｍ未満の距離だけ離隔してもよい。
【００４３】
制限部材と下部分と接続部材とは、ハンドルが手で保持されているときに手の中指の一部を収容するための下座部を画定してもよい。
【００４４】
したがって、このようなハンドル構成は、ハンドル（及びジャグ）を、手の親指の内側（ハンドルの上部分を容器に向かって押す）と、親指の下にある手の第１の指の内側（例えば、人差し指はハンドルの上部分を容器から離れる方に引く）と、手の第２の指の背面及び側面（例えば、制限部材に当接する手の中指は、容器に向かい、接続部材を支持する）との間で安全に固定するために使用してもよい。このような保持構成では、ジャグは、第２の指によって保持され、親指と第１の指とによって人間工学的な手法で定位置に固定される。残りの指、例えば薬指及び小指は、使用者の手の中でジャグを保持する又は固定するために必要ともされない。グリップ部材の下部分が十分に長い場合、これら残りの指で下部分を握り、保持を支援してもよい。しかしながら、こうした残りの指による寄与は任意である。
【００４５】
制限部材は、例えば、容器が４０℃若しくは５０℃を超えて加熱される場合、又は１０℃若しくは５℃未満に冷却される場合、容器の加熱された部分又は冷却された部分に手が触れるリスクを低減するために使用してもよい。したがって、制限部材は、容器から離隔してもよい、並びに／又は熱絶縁材料、例えばセラミック及び／若しくはポリマーで作製されてもよい。
【００４６】
偏心した突出部材は制限部材によって形成され得る、又はこの逆であり得る。
【００４７】
グリップ部材の上部は、以下の特徴、すなわち、上部は、容器から１．５〜４ｃｍ、例えば２〜３ｃｍの範囲内の距離だけ離隔することができる、上部は、接続部材より上に、１〜３ｃｍ、例えば１．５〜２．５ｃｍの範囲内の距離だけ延びてもよい、グリップ部材の上部は、０．５〜３ｃｍ、例えば１〜２ｃｍの範囲内の幅を有することができる、及び上部は、最上自由端を有してもよい、のうちの少なくとも１つを有してもよい。
【００４８】
グリップ部材の下部は、以下の特徴、すなわち、下部は、容器から１．５〜４ｃｍ、例えば２〜３ｃｍの範囲内の距離だけ離隔してもよい、下部は、接続部材より下に、１〜５ｃｍ、例えば２．５〜４．５ｃｍの範囲内の距離だけ延びてもよい、グリップ部材の下部は、０．５〜３ｃｍ、例えば１〜２ｃｍの範囲内の幅を有することができる、及び下部は、最下自由端を有してもよい、のうちの少なくとも１つを有してもよい。
【００４９】
制限部材は、以下の特徴、すなわち、制限部材は、グリップ部の下部まで、１．５〜３ｃｍ、例えば２〜２．５ｃｍの範囲内の距離だけ離隔してもよい、制限部材は、接続部材まで、０．５〜５ｃｍ、例えば１〜３ｃｍ、例えば１．５〜２．５ｃｍの範囲内の距離だけ離隔した最下端を有することができる、制限部材は、０．５〜３ｃｍ、例えば１〜２ｃｍの範囲内の幅を有してもよい、及び制限部材は、最下自由端を有することができる、のうちの少なくとも１つを有することができる。
【００５０】
容器は、容器空洞の開口部を画定するへりを有してもよく、取り外し可能な蓋は、へりの上に延びる。
【００５１】
取り外し可能な蓋は、下向きに延びて、容器の外蓋面を形成する周囲壁を有することができる。
【００５２】
外蓋面は、０．５〜５ｃｍの範囲内、例えば１．５〜３．５ｃｍの範囲内の高さを有してもよい。
【００５３】
外蓋面は、蓋によって覆われていない容器の外面及び／又は基部の外面と面一に延びてもよい。
【００５４】
取り外し可能な蓋は、へりに沿って空洞内に下向きに延びる直立内壁を有することができる。
【００５５】
周囲壁及び／又は直立内壁は、空洞を封止するための、環状の変形可能な封止部材などの封止部材を有してもよい。
【００５６】
封止部材は、並べて配置された環状リップなどの１つ以上の実質的に平行な封止リップを有してもよい。
【００５７】
封止部材は、封止部材を掴むためのタブを有してもよい。
【００５８】
封止部材は、例えば洗浄のために蓋から取り外し可能であってもよく、蓋に取り付け可能であってもよい。
【００５９】
取り外し可能な蓋は、接続部材に接触する又は近接する底端部を有する周囲壁又は上記周囲壁を有することができ、底端部は、例えば、接続部材から１ｃｍ未満、例えば０．５ｃｍ未満離隔している。
【００６０】
容器は、少なくとも１つの外側容器壁を有してもよく、少なくとも１つの外側容器壁は、空洞内の液状食品物質によって及び／又は空洞内の液状食品物質を処理することによって熱的に調整されることができ、容器が基部座部内又は基部座部上にあるときに基部壁に面している。基部及び／又は容器は、リブ若しくは突起若しくは断熱層などの１つ以上の断熱スペーサを含むことができ、断熱スペーサは、基部壁と容器との間の熱移動を防止又は抑制するように、容器が座部内若しくは座部上に受け入れられているときに基部壁を容器壁から離隔する。
【００６１】
したがって、スペーサを設けることにより、基部と容器との間のエネルギー移動を有効に防止することができる又は少なくとも阻止することができる。
【００６２】
このような断熱スペーサは、セラミック若しくはポリマー材料などの断熱材料で作製されてもよい、及び／又はスペーサは、例えば、容器と基部との間の熱流束に直交する小断面を備える断熱形状を有してもよい。
【００６３】
容器は、電気抵抗要素又は熱電対要素などの、熱放射又は吸収要素を含んでもよい。
【００６４】
外側の熱放射又は吸収要素は、基部壁に面する総外部表面を有してもよく、これにより総外部表面の１５％未満、例えば１０％未満、例えば５％未満、例えば３％未満が断熱スペーサに接触する又は断熱スペーサを形成する。
【００６５】
熱放射又は吸収要素は、基部により電気伝導及び／又は電磁誘導で給電することができる。
【００６６】
エネルギーは、容器が基部座部内にあるときに電気的に接続される対応する電気コネクタによって、基部からジャグに電気的に送られてもよい。
【００６７】
エネルギーは、基部内の誘導発電デバイスと、ジャグ内、例えば容器の壁内の誘導受信機とによって、基部からジャグに誘導的に送られてもよい。
【００６８】
容器は、座部内又は座部上に受け入れられた容器内で液状食品物質が処理されるときに、上記熱放射又は吸収要素として１つ以上の優先的な容器壁を主に介して容器の外に熱を放射するように又は容器の外から熱を吸収するように構成され得る。断熱スペーサは、優先的な壁を基部壁から離隔するように配置され得る。優先的な容器壁は、容器の底壁、又は容器の側壁、又はこの両方を形成してもよい。
【００６９】
断熱スペーサ又は各断熱スペーサは、対応する基部壁を容器壁から０．１〜１ｃｍ、例えば０．３〜０．８、例えば０．４〜０．７ｃｍの範囲内の距離だけ離隔するように構成されてもよい。
【００７０】
食品空洞は、液状食品物質をその処理中に撹拌するための、泡立て器及び／又はスターラなどの可動撹拌デバイスを収容することができる。
【００７１】
撹拌要素は、アクチュエータ又は上記アクチュエータによって駆動されることができ、アクチュエータは、基部内に収容されており、かつ容器の底壁などの容器壁を介して撹拌デバイスに例えば磁気的に結合されている。
【００７２】
撹拌要素は、上記アクチュエータによって駆動されると、食品空洞内で液状食品としてのミルク又はミルクベース液体を泡立てるように構成されてもよい。
【００７３】
撹拌デバイスはインペラであってもよい。インペラは、国際公開第２００６／０５０９００号、若しくは国際公開第２００８／１４２１５４号に開示されているタイプのばね状構造を有してもよく、及び／又はインペラは、国際公開第２０１６／２０２８１７号に教示されているような波形状及び／又は開口ディスク形状構造を有することができる。
【００７４】
インペラは、例えば足部内の磁気要素を介してアクチュエータに結合する足部を有することができる。
【００７５】
インペラ、例えば低慣性インペラの磁気結合は、国際公開第２００６／０５０９００号又は同第２００８／１４２１５４号に教示されるように達成することができる。
【００７６】
インペラ、例えば高慣性インペラの磁気結合は、国際公開第２０１６／２０２８１４号又は国際出願ＰＣＴ／ＥＰ１７／０８２２１１号に教示されるように達成してもよい。
【００７７】
磁気結合（すなわち、強い結合）を介して高伝達トルクがインペラに伝達される場合、例えば国際公開第２０１６／２０２８１５号に教示されているように、磁気分離（magnetic uncoupling）構成が提供されてもよい。
【００７８】
適切なインペラ及びそれらのマシンへの実装は、国際公開第２０１６／２０２８１４号、同第２０１６／２０２８１５号、同第２０１６／２０２８１６号、及び同第２０１６／２０２８１７、並びに国際出願ＰＣＴ／ＥＰ１７／０８２２０８号及び同ＰＣＴ／ＥＰ１７／０８２２１１号に開示されている。
【００７９】
人間の手によって容器を掴む及び任意選択で移動させるために、容器には、断熱性の外側材料及び／又はハンドルを設けることができる。このような構成は、食品が例えば５０℃を超える高温又は１０℃未満の低温で処理される場合に特に有利である。
【００８０】
本明細書において、マシン又はその一部に対する向き又は位置、例えば「上方」又は「下方」又は「垂直」又は「水平」に言及する場合、向き又は位置は、別段の定めのない限り、容器内の液状食品物質を処理するために動作中のマシンの位置及び向きを基準とする。
【００８１】
ここで、本発明を概略図を参照して説明する。
【図面の簡単な説明】
【００８２】
【図１】本発明によるマシンの下方からの斜視図である。
【図２】容器が基部に対してずれている、図１のマシンの斜視側面図である。
【図３】図１のマシンの基部の上方からの斜視図である。
【図４】片手で保持されているときの図１のマシンのジャグの斜視側面図である。
【図５】図１のマシンのジャグの蓋の下方からの斜視図である。
【図６】一部が切り取られた、図５の蓋の上方からの斜視図である。
【発明を実施するための形態】
【００８３】
図１〜図６に、本発明によるマシン１及びその部品の例示的実施形態が示される。
【００８４】
マシン１は、ミルク又はミルクベース物質などの液状食品物質を処理するように構成されている。
【００８５】
マシン１は、液状食品物質を収容するための食品空洞２１’を画定する容器２１を有するジャグ２０を含む。容器２１は、空洞２１’を覆うための取り外し可能な蓋２２を有してもよい。
【００８６】
マシン１は基部１０を組み込み、基部１０は、容器２１を取り出し可能に受け入れるための座部１１’を形成する１つ以上の壁１１を有する。
【００８７】
図１及び図２に示されるように、基部１０及びジャグ２０は、それぞれ、偏心した、例えば周辺部にある突出部材３３、典型的にはピン又はブレード、及び突出部材３３のための対応する、偏心した、例えば周辺部にある座部１３、又はこの逆、を備える又は画定する。偏心した座部１３は、容器２１が食品空洞２１’内の液状食品物質を処理するための位置にあるように容器２１が基部座部１１’によって受け入れられたときに突出部材３３を受け入れるように構成されている。突出部材３３が偏心した座部１３に対してずれている、例えば角度的にずれているときに、偏心した突出部材３３は、容器２１を、空洞２１’内の液状食品物質を処理するためのその位置から離して維持するように構成されている。
【００８８】
したがって、偏心した、周辺部にある突出部材３３、及び対応する、偏心した座部１３は、通常、両方とも容器２０の食品空洞２１’の中心直立又は垂直軸線２１’’から離れている。
【００８９】
ジャグ２０は、偏心した突出部材３３を備えてもよく、基部１０は、偏心した座部１３を画定してもよい、又はこの逆であってもよい。基部１０の外面１０ａは、偏心した座部１３を画定してもよい。
【００９０】
偏心した突出部材３３が偏心した座部１３内に受け入れられているときに、偏心した座部１３及び偏心した突出部材３３は、偏心した座部１３と偏心した突出部材３３とが連続的な外部表面を一緒に形成するような相補形状；基部１０に対する容器２１の回転を防止するための構成；及び容器２１の下向き縁部３４が基部１０の上向き縁部１４上に載るような構成、又は容器縁部３４が基部縁部１４から０．５ｍｍ以下離れ、基部縁部１４が、例えば容器２１を受け入れるための基部座部１１のへりを形成するような構成、のうちの少なくとも１つを有することができる。
【００９１】
偏心した突出部材３３が偏心した座部１３に対してずれているときに、容器２１の下向き縁部３４又は上記下向き縁部３４は、偏心した突出部材３３が偏心した座部１３内に受け入れられているときよりも大きな距離だけ、例えば、偏心した突出部材３３が偏心した座部１３内に受け入れられているときに基部１０の偏心した座部１３内に収容されている偏心した突出部材３３の部分の高さ、例えば、０．３〜５ｃｍ、例えば０．５〜２．５ｃｍの範囲内の高さに相当する距離よりも大きな距離だけ、容器２１を受け入れるための基部座部１１のへりを形成する基部縁部１４などの基部１０の上向き縁部１４又は上記上向き縁部１４から離隔することができる。
【００９２】
マシン１は、処理デバイスと液状食品物質を処理するために処理デバイスを制御するように構成された制御システムとを含んでもよく、制御システムは、例えば、制御ユニットによって制御されるアクチュエータ及び／又は熱調整器である。制御システムは、処理デバイスの特性、例えば電流消費及び／又は電圧消費及び／又は電気周波数を測定し、測定したこのような特性を、容器２１がその処理位置にあるとき又はその処理位置から離れているときの特性の予測値と比較することによって、容器２１がその処理位置から離れているとき、例えば、偏心した部材３３が偏心した座部１３に対してずれているときを検知するように構成され得る。例えば、処理デバイス及び／又は制御システムは基部１０内に収容されている。
【００９３】
ジャグ２０は、ジャグを成人の手４０で保持するためのハンドル３１、３２、３３を有してもよく、ハンドル３１、３２、３３は、容器２１から突出した接続部材３１と、容器２１から離れたところで接続部材３１に接続された実質的に細長い直立グリップ部材３２と、を有する。グリップ部材３２は、接続部材３１より上にある上部分３２ａと、接続部材３１より下にある下部分３２ｂと、を有してもよい。上部分３２ａは、ハンドル３１、３２、３３が手４０で保持されているときに、手４０の親指４１を支持し、手４０の人差し指４２を収容するための上座部３１ａを接続部材３１とともに画定するように構成され得る。
【００９４】
接続部材３１は、ジャグ２０が液状食品物質を処理するように方向付けられているときに、水平であり得る、又は水平に対して３０度未満の角度、例えば水平に対して１５度未満の角度であり得る。
【００９５】
直立グリップ部材３２は、垂直に、又は垂直に対して３０度未満の角度で、例えば垂直に対して１５度未満の角度で延びてもよい。
【００９６】
容器２１の空洞２１’は、接続部材３１より上に、１〜７ｃｍ、例えば２〜５ｃｍ、例えば３〜４ｃｍの範囲内の高さだけ延びてもよい。
【００９７】
ハンドル３１、３２、３３は制限部材３３を有してもよく、制限部材３３は、容器２１とグリップ部材３２の下部分３２ｂとの間に実質的に直立して延びており、接続部材３１又は接続部材３１の近くから下向きに延びている。
【００９８】
制限部材３３と下部分３２ｂと接続部材３１とは、ハンドル３１、３２、３３が手４０で保持されているときに手４０の中指４３の一部を収容するための下座部３１ｂを画定してもよい。
【００９９】
図４に示されるように、このようなハンドル構成は、ハンドル３１、３２、３３を、手の親指４１の内側（ハンドルの上部分３２ａを容器２１に向かって方向４１ａに押す）と、親指４１の下にある手の第１の指４２の内側（例えば、人差し指４２はハンドルの上部分３２ａを容器２１から離れる方向４２ａに引く）と、手の第２の指４３の背面及び側面（例えば、制限部材３３に当接する手の中指４３は、容器２１に向かい、接続部材３１を方向４３ａに支持する）との間で安全に固定するために使用してもよい。このような保持構成では、ジャグ２０は第２の指４３によって保持され、親指４１と第１の指４２とによって人間工学的な手法で定位置に固定される。残りの指４４、例えば薬指及び小指４４は、使用者の手の中でジャグ２０を保持する又は固定するのに必要ともされない。グリップ部材３２の下部分３２ａが十分に長い場合、これら残りの指４４で下部分を握り、（方向４４ａに）保持を支援してもよい。しかしながら、こうした残りの指による寄与は任意である。
【０１００】
偏心した突出部材３３は制限部材３３によって形成されてもよい、又はこの逆であってもよい。
【０１０１】
上部３２ａは、容器２１から１．５〜４ｃｍ、例えば２〜３ｃｍの範囲内の距離だけ離隔してもよい。
【０１０２】
上部３２ａは、接続部材３１より上に、１〜３ｃｍ、例えば１．５〜２．５ｃｍの範囲内の距離だけ延びることができる。
【０１０３】
グリップ部材３２の上部３２ａは、０．５〜３ｃｍ、例えば１〜２ｃｍの範囲内の幅を有することができる。
【０１０４】
上部３２ａは、最上自由端を有してもよい。
【０１０５】
下部３２ｂは、容器２１から１．５〜４ｃｍ、例えば２〜３ｃｍの範囲内の距離だけ離隔してもよい。
【０１０６】
下部３２ｂは、接続部材３１より下に、１〜５ｃｍ、例えば２．５〜４．５ｃｍの範囲内の距離だけ延びることができる。
【０１０７】
グリップ部材３２の下部３２ｂは、０．５〜３ｃｍ、例えば１〜２ｃｍの範囲内の幅を有してもよい。
【０１０８】
下部３２ｂは、最下自由端を有することができる。
【０１０９】
制限部材３３は、グリップ部３２の下部３２ｂまで、１．５〜３ｃｍ、例えば２〜２．５ｃｍの範囲内の距離だけ離隔させることができる。
【０１１０】
制限部材３３は、接続部材３１まで、０．５〜５ｃｍ、例えば１〜３ｃｍ、例えば１．５〜２．５ｃｍの範囲内の距離だけ離隔した最下端を有してもよい。
【０１１１】
制限部材３３は、０．５〜３ｃｍ、例えば１〜２ｃｍの範囲内の幅を有することができる。
【０１１２】
制限部材３３は、最下自由端を有してもよい。
【０１１３】
図４に示されるように、容器２０は、容器空洞２１’の開口部を画定するへり２２’を有することができる。図１及び図２に示されるように、取り外し可能な蓋２２は、へり２２’の上に延びてもよい。
【０１１４】
図１、図５、及び図６に示されるように、取り外し可能な蓋２２は周囲壁２２ａを有することができ、周囲壁２２ａは、容器２１の外蓋面を形成するように下向きに延びており、例えば、外蓋面は、０．５〜５ｃｍの範囲内、例えば１．５〜３．５ｃｍの範囲内の高さを有し、並びに／又は蓋２２によって覆われていない容器２１の外面２０ａ及び／若しくは基部１０の外面１０ａと面一に延びている。
【０１１５】
取り外し可能な蓋２２は、へり２２’に沿って空洞２１’内に下向きに延びる直立内壁２２ｃを有することができる。
【０１１６】
周囲壁２２ａ及び／又は直立内壁２２ｃは、空洞２１’を封止するための、環状の変形可能な封止部材などの封止部材２２ｄを有してもよい。
【０１１７】
封止部材２２ｄは、並べて配置された環状リップなどの１つ以上の実質的に平行な封止リップ２２ｅを有することができる。
【０１１８】
封止部材２２ｄは、封止部材２２ｅを掴むためのタブ２２ｆを有してもよい。
【０１１９】
封止部材２２ｄは、例えば洗浄のために蓋２２から取り外し可能とすることができ、蓋に取り付け可能とすることができる。
【０１２０】
取り外し可能な蓋２２は、接続部材３１に接触する又は近接する底端部２２ｂを有する周囲壁２２ａ又は上記周囲壁２２ａを有してもよい。底端部２２ｂは、接続部材３１から１ｃｍ未満、例えば０．５ｃｍ未満離隔してもよい。
【０１２１】
容器２１は、少なくとも１つの外側容器壁２１ａを有してもよく、少なくとも１つの外側容器壁２１ａは、空洞２１’内の液状食品物質によって及び／又は空洞２１’内の液状食品物質を処理することによって熱的に調整されることができ、容器２１が基部座部１１’内又は基部座部１１’上にあるときに基部壁１１に面している。図３に示されるように、基部１０及び／又は容器２１は、リブ若しくは突起若しくは断熱層などの１つ以上の断熱スペーサ１１ａを含んでもよく、断熱スペーサは、基部壁と容器との間の熱移動を防止又は抑制するように、容器２１が座部１１’内に又は座部１１’上に受け入れられているときに基部壁１１を容器壁２１ａから離隔する。容器２１は、電気抵抗要素又は熱電対要素などの、熱放射又は吸収要素を含んでもよい。例えば、熱放射又は吸収要素は、基部１０により電気伝導及び／又は電磁誘導で給電される。
【０１２２】
容器２１は、座部１１’内又は座部１１’上に受け入れられた容器２１内で液状食品物質が処理されるときに、上記熱放射又は吸収要素として１つ以上の優先的な容器壁２１ａを主に介して容器２１の外に熱を放射するように又は容器２１の外から熱を吸収するように構成され得る。断熱スペーサ１１ａは、優先的な壁２１ａを基部壁１１から離隔するように配置されてもよい。例えば、優先的な容器壁２１ａは、容器２１の底壁２３、又は容器２１の側壁、又はこの両方を形成する。
【０１２３】
断熱スペーサ１１ａ又は各断熱スペーサ１１ａは、対応する基部壁１１を容器壁２１ａから０．１〜１ｃｍ、例えば０．３〜０．８、例えば０．４〜０．７ｃｍの範囲内の距離だけ離隔するように構成されてもよい。
【０１２４】
基部１０は、給電される空洞、例えば、容器２１に隣接する電気コード１５を介して電源により給電される空洞を有してもよい。基部空洞は、食品空洞２１’内に熱を発生させる（空洞を加熱する）ための及び／又は食品空洞２１’から熱を除去する（空洞を冷却する）ための熱調整器を含んでもよい。
【０１２５】
食品空洞２１’は、液状食品物質をその処理中に撹拌するための、泡立て器及び／又はスターラなどの可動撹拌デバイスを収容してもよい。
【０１２６】
撹拌要素は、アクチュエータ又は上記アクチュエータによって駆動されてもよく、アクチュエータは、基部１０内に収容されており、かつ容器２１の底壁２３などの容器壁を介して撹拌デバイスに例えば磁気的に結合されている。
【０１２７】
撹拌要素は、上記アクチュエータによって駆動されると、食品空洞２１’内で液状食品としてのミルク又はミルクベース液体を液状食品として泡立てるように構成され得る。
【図１】
2021517016.tif 000003
【図２】
2021517016.tif 000004
【図３】
2021517016.tif 000005
【図４】
2021517016.tif 000006
【図５】
2021517016.tif 000007
【図６】
2021517016.tif 000008
【国際調査報告】
2021517016.tif 000009
2021517016.tif 000010
2021517016.tif 000011